(57)【要約】【課題】操作性を低下させず、かつ違和感を与えることなくアクセス制限を行うことができる電子機器を提供する。【解決手段】指定されたサーバより所定の言語で記述された文書を取得する取得手段５２と、文書に基づいて生成されたＷｅｂページを表示する表示手段と、Ｗｅｂページのアクセス規制に関する情報であるアクセス規制情報を格納する格納手段５８と、格納手段５８に格納されたアクセス規制情報を参照し、アクセスが禁止されたＵＲＩに対するハイパーリンクを生成させる記述が文書に含まれているか否かを判定する判定手段５４と、文書に記述が含まれていると判定された場合、ハイパーリンクの表示を無効にする表示規制が行われたＷｅｂページを生成し、表示手段に表示させる表示規制手段５４、５７とを備えた。【選択図】  図４
2010033483.tif 000002
【特許請求の範囲】
【請求項１】
指定されたサーバより所定の言語で記述された文書を取得する取得手段と、
前記文書に基づいて生成されたＷｅｂページを表示する表示手段と、
前記Ｗｅｂページのアクセス規制に関する情報であるアクセス規制情報を格納する格納手段と、
前記格納手段に格納されたアクセス規制情報を参照し、アクセスが禁止されたＵＲＩに対するハイパーリンクを生成させる記述が前記文書に含まれているか否かを判定する判定手段と、
前記文書に前記記述が含まれていると判定された場合、前記ハイパーリンクの表示を無効にする表示規制が行われた前記Ｗｅｂページを生成し、前記表示手段に表示させる表示規制手段とを備えたことを特徴とする電子機器。
【請求項２】
前記所定の言語で記述された文書を解析し、解析結果を出力する解析手段をさらに備え、
前記判定手段により前記記述が前記文書に含まれていると判定された場合、前記表示規制手段は、前記文書の解析時において前記ハイパーリンクの生成を行う記述を変更することにより、前記ハイパーリンクの表示を無効にする前記表示規制を行う請求項１記載の電子機器。
【請求項３】
前記表示規制手段により前記表示規制が行われた前記Ｗｅｂページ中の規制箇所を選択可能に表示させる表示規制解除手段と、
前記選択可能に表示された一の前記規制箇所を選択する選択手段と、
前記選択手段により前記規制箇所が選択された場合、前記アクセスが禁止されたＵＲＩに対してアクセスを許可するアクセス許可手段をさらに備えた請求項１記載の電子機器。
【請求項４】
パスワードの入力を受け付ける入力手段と、
予め設定されたパスワードと前記入力手段により入力されたパスワードとが一致するか否かの判定を行うパスワード判定手段とをさらに備え、
前記パスワード判定手段により前記予め設定されたパスワードと前記入力手段により入力されたパスワードとが一致すると判定された場合、前記アクセス許可手段は、前記アクセスが禁止されたＵＲＩに対してアクセスを許可する請求項３記載の電子機器。
【請求項５】
前記電子機器を管理する端末装置とデータの送受信を行う送受信手段と、
前記選択手段により前記規制箇所が選択された場合、前記端末装置に対し前記アクセスが禁止されたＵＲＩに対してアクセスの許可申請を送信する申請手段とをさらに備え、
前記送受信手段により前記許可申請に対してアクセスを許可する回答を前記端末装置より受信した場合、前記アクセス許可手段は前記アクセスが禁止されたＵＲＩに対してアクセスを許可する請求項３記載の電子機器。
【請求項６】
前記格納手段には、前記送受信手段により前記端末装置より受信したデータである前記アクセス規制情報が格納された請求項５記載の携帯端末装置。
【請求項７】
前記判定手段は、前記格納手段に格納されたアクセス規制情報を参照し、前記アクセスが禁止されたＵＲＩよりデータの取得または送信を行わせる記述が前記文書に含まれているか否かをさらに判定し、
前記判定手段により前記文書に前記記述が含まれていると判定された場合、前記表示規制手段は、前記記述を無効にすることにより表示規制を行う請求項１記載の電子機器。
【請求項８】
前記判定手段は、前記格納手段に格納されたアクセス規制情報を参照し、前記Ｗｅｂページに組み込まれるデータを前記アクセスが禁止されたＵＲＩより取得させる記述が前記文書に含まれているか否かをさらに判定し、
前記判定手段により前記文書に前記記述が含まれていると判定された場合、前記表示規制手段は、前記データに代えて代替データを前記Ｗｅｂページに表示させる請求項１記載の電子機器。
【請求項９】
前記アクセス規制情報は、アクセスが禁止されたＵＲＩおよびドメイン、またはアクセスが許可されたＵＲＩおよびドメインに関する情報である請求項１記載の電子機器。
【請求項１０】
指定されたサーバより所定の言語で記述された文書を取得する取得手段と、
前記文書に基づいて生成されたＷｅｂページを表示する表示手段と、
前記Ｗｅｂページのアクセス規制に関する情報であるアクセス規制情報を格納する格納手段と、
前記格納手段に格納されたアクセス規制情報を参照し、アクセスが禁止されたＵＲＩよりデータの取得または送信を行わせる記述が前記文書に含まれているか否かを判定する判定手段と、
前記文書に前記記述が含まれていると判定された場合、前記記述を無効にする表示規制が行われた前記Ｗｅｂページを生成し、前記表示手段に表示させる表示規制手段とを備えたことを特徴とする電子機器。
【発明の詳細な説明】
【技術分野】
【０００１】
本発明は、電子機器に係り、特に取得したコンテンツの表示を好適に規制するブラウザを備えた電子機器に関する。
【背景技術】
【０００２】
近年、携帯電話機などの電子機器は、インターネットの利用が可能となり、Ｗｅｂブラウザを用いて容易にコンテンツの閲覧が行えるようになった。また、電子機器は幅広い年代層において所有され、子供から大人まで手軽にインターネットを楽しめるようになった。
【０００３】
このような電子機器は、インターネットを利用して膨大な情報量を取得できるようになった。その一方で、実際に電子機器を使用するユーザを管理する管理者により、インターネットの利用に制限を設ける必要性も増している。
【０００４】
例えば、管理者としての保護者などは、電子機器を使用する被管理者としての未成年の子供に対し、所定のドメインに対するアクセスのみを許可または禁止し、有害なコンテンツに対するアクセス制限を設ける場合がある。また、管理者としての会社側は、被管理者としての従業員に業務上で使用される電子機器を貸与した際、業務に不要なコンテンツを提供するドメイン名などを指定して、アクセス規制を設ける場合もある。
【０００５】
このようなニーズに答えるため、管理者の意図に応じてＷｅｂブラウザ単体で特定ＵＲＩへのアクセスを禁止または許可することによりアクセス規制が可能な技術が開示されている（例えば、特許文献１参照）。
【特許文献１】特開平１１−２０５３８０号公報
【発明の開示】
【発明が解決しようとする課題】
【０００６】
電子機器において特定のドメインなどに対するアクセスを制限する場合、被管理者にとっては操作性の低下や、不快感を覚えずに自然にアクセス制限されることが望ましい。
【０００７】
特許文献１に開示されたアクセス規制に関する技術は、アクセスが禁止された特定ＵＲＩが設定されたハイパーリンクを選択した場合、アクセスが制限される旨の接続エラー画面を表示するものであった。しかし、使用者にとってはエラー画面が表示されることに対して違和感があり、また操作性に欠けるものであった。
【０００８】
また、今日提供される多くのＷｅｂページには、使用者がアクセスしたＵＲＩ以外のＵＲＩから取得された画像データなどを例えば広告画像として組み込ませて構成されたＷｅｂページが多く存在する。このため、アクセスが許可されたＵＲＩにアクセスしＷｅｂページを表示させたとしても、このＷｅｂページ内にアクセスが禁止されたＵＲＩより取得された情報が表示される可能性もある。
【０００９】
本発明はこのような事情を考慮してなされたもので、操作性を低下させず、かつ違和感を与えることなくアクセス制限を行うことができる電子機器を提供することを目的とする。
【課題を解決するための手段】
【００１０】
本発明に係る電子機器は、上述した課題を解決するために、指定されたサーバより所定の言語で記述された文書を取得する取得手段と、前記文書に基づいて生成されたＷｅｂページを表示する表示手段と、前記Ｗｅｂページのアクセス規制に関する情報であるアクセス規制情報を格納する格納手段と、前記格納手段に格納されたアクセス規制情報を参照し、アクセスが禁止されたＵＲＩに対するハイパーリンクを生成させる記述が前記文書に含まれているか否かを判定する判定手段と、前記文書に前記記述が含まれていると判定された場合、前記ハイパーリンクの表示を無効にする表示規制が行われた前記Ｗｅｂページを生成し、前記表示手段に表示させる表示規制手段とを備えたことを特徴とする。
【００１１】
また、本発明に係る電子機器は、指定されたサーバより所定の言語で記述された文書を取得する取得手段と、前記文書に基づいて生成されたＷｅｂページを表示する表示手段と、前記Ｗｅｂページのアクセス規制に関する情報であるアクセス規制情報を格納する格納手段と、前記格納手段に格納されたアクセス規制情報を参照し、アクセスが禁止されたＵＲＩよりデータの取得または送信を行わせる記述が前記文書に含まれているか否かを判定する判定手段と、前記文書に前記記述が含まれていると判定された場合、前記記述を無効にする表示規制が行われた前記Ｗｅｂページを生成し、前記表示手段に表示させる表示規制手段とを備えたことを特徴とする。
【発明の効果】
【００１２】
本発明に係る電子機器は、操作性を低下させず、かつ違和感を与えることなくアクセス制限を行うことができる。
【発明を実施するための最良の形態】
【００１３】
本発明に係る電子機器の実施形態を添付図面に基づいて説明する。
【００１４】
図１は、本発明に係る電子機器の一例である折りたたみ式の携帯電話機１の外観の構成を示す図である。図１（Ａ）は、携帯電話機１を約１８０度に開いた開状態のときの正面から見た外観の構成を示し、図１（Ｂ）は、携帯電話機１を開状態としたときの側面から見た外観の構成を示す。
【００１５】
図１（Ａ）および（Ｂ）に示されるように、携帯電話機１は、中央のヒンジ部１１を境に第一の筐体１２と第二の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１６】
第一の筐体１２には、その表面に「０」から「９」の数字や「あ」行から「わ」行のかな、「Ａ」から「Ｚ」のアルファベットの入力が可能な数字キー１５や、上下方向キーを備えた十字キー１６、確定キー１７などで構成される操作キー１４が設けられる。
【００１７】
十字キー１６は、上下左右方向に操作されることによりメインディスプレイ２１に表示されたカーソルなどを上下左右方向に移動させることができる。また、確定キー１７を押下することにより、種々の機能を確定することができる。確定キー１７には、メインディスプレイ２１の下部に設けられた確定キー機能表示部２１ａに表示される処理も割り当てられる。
【００１８】
さらに、第一の筐体１２の十字キー１６および確定キー１７の上部には、左ソフトキー１８および右ソフトキー１９が設けられる。第一の筐体１２の側面には、携帯電話機１の操作を行うサイドキー２０が設けられる。左ソフトキー１８、右ソフトキー１９およびサイドキー２０は、第一の筐体１２の内部方向に押下されることによって、それぞれ所定の処理が割り当てられている。特に左ソフトキー１８および右ソフトキー１９は、メインディスプレイ２１の下部に設けられた左ソフトキー機能表示部２１ｂおよび右ソフトキー機能表示部２１ｃに表示される処理が割り当てられる。
【００１９】
第一の筐体１２には、操作キー１４の下部にマイクロフォン２２が設けられており、マイクロフォン２２によって通話時のユーザの音声を集音する。
【００２０】
なお、第一の筐体１２は、背面側に図示しないバッテリパックが挿着されており、終話・電源キーが押下されてオン状態になると、バッテリパックから各回路部に対して電力が供給されて動作可能な状態に起動する。
【００２１】
一方、第二の筐体１３には、その大部分の面積を占めるメインディスプレイ２１が設けられており、電波の受信状態、電池残量の他、電子メールの内容、簡易ホームページなどを表示することができる。なお、メインディスプレイ２１は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬ（ｉｎｏｒｇａｎｉｃ  ＥｌｅｃｔｒｏＬｕｍｉｎｅｓｃｅｎｃｅ）ディスプレイにより構成されるディスプレイである。メインディスプレイ２１は、表示手段として機能する。
【００２２】
また、メインディスプレイ２１の上部の所定の位置にはレシーバ（受話器）２３が設けられており、これにより、ユーザは音声通話することが可能である。なお、携帯電話機１の所定の位置には、レシーバ２３以外の音声出力部としてのスピーカ（図示せず）も設けられている。
【００２３】
図２は、本発明に係る携帯電話機の一例である折りたたみ式携帯電話機１の他の外観の構成を示す図である。図２の携帯電話機１は、図１の携帯電話機１の状態から矢印Ｘ方向に回動させた閉状態を構成する。図２（Ａ）は、携帯電話機１が閉状態のときの正面から見た外観の構成を示し、図２（Ｂ）は、携帯電話機１が閉状態のときの側面から見た外観の構成を示す。
【００２４】
第二の筐体１３には、例えばＬＣＤで構成されるサブディスプレイ２４が設けられており、現在のアンテナの感度のレベルを示すアンテナピクト、携帯電話機１の現在の電池残量を示す電池ピクト、現在の時刻などが表示される。
【００２５】
図３は、本実施形態における携帯電話機１の内部の構成を示す図である。
【００２６】
図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。
【００２７】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２８】
圧縮伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとに対してそれぞれ復号処理を行う。
【００２９】
圧縮伸張処理部３７のビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ２１に表示させる。
【００３０】
一方、通話モードにおいて、マイクロフォン２２に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、制御部４１にて作成された電子メールなどのテキストデータも圧縮伸張処理部３７に入力される。
【００３１】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。
【００３２】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。また、携帯電話機１には、現在の正確な時刻を測定する時計回路４５が設けられている。
【００３３】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。また、制御部４１はビデオＲＡＭも備え、メインディスプレイ２１に表示される映像に関する情報が一時的に格納される。
【００３４】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００３５】
図４は、本実施形態における携帯電話機の制御部により実行されるブラウザアプリケーションの機能的な構成を概略的に示した機能ブロック図である。
【００３６】
ブラウザアプリケーションは、ブラウザ制御部５１、ＨＴＴＰ通信部５２、ＨＴＭＬ解析部５４、コンテンツ表示部５５を備える。また、各種データの記憶領域として、受信／Ｃａｓｈデータ記憶部５６、ＨＴＭＬ解析結果記憶部５７、アクセス規制情報記憶部５８を備える。
【００３７】
ブラウザ制御部５１は、ブラウザアプリケーション５０に設けられた各部に指示を供給し、各部に処理を実行させる。
【００３８】
ＨＴＴＰ通信部５２は、Ｗｅｂサーバ（図示せず）と携帯電話機１との間で送受するための通信プロトコルであるＨＴＴＰ（ＨｙｐｅｒＴｅｘｔ  Ｔｒａｎｓｆｅｒ  Ｐｒｏｔｏｃｏｌ）に基づいて、ＨＴＭＬ（Ｈｙｐｅｒ  Ｔｅｘｔ  Ｍａｅｋｕｐ  Ｌａｎｇｕａｇｅ）形式で書かれた文書（ＨＴＭＬ文書）の送受信を行う。
【００３９】
なお、ＨＴＴＰ通信部５２は、携帯電話機１に設けられたＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）の通信プロトコル体系に基づいてデータの送受信を行うＴＣＰ／ＩＰ通信部５３を介して適宜データの送受信を行う。ＨＴＴＰ通信部５２により取得されたＨＴＭＬ文書は、受信／Ｃａｓｈデータ記憶部５６に格納される。
【００４０】
ＨＴＭＬ解析部５４は、受信／Ｃａｓｈデータ記憶部５６に記憶されたＨＴＭＬ文書を解析する。ＨＴＭＬ文書は、Ｗｅｂページなどに表示されるテキストや画像データなどのデータを整形して表示させるために用いられるタグを使用して記述される。ＨＴＭＬ解析部５４は、ＨＴＭＬ文書に使用されたタグの解析を行う。このとき、ＨＴＭＬ解析部５４は、ブラウザ制御部５１の制御に基づき、所定のタグに対し表示規制処理を行いながら解析を行う。解析結果は、ＨＴＭＬ解析結果記憶部５７に記憶される。ＨＴＭＬ解析部５４は、本実施形態においては解析手段、判定手段および表示規制手段として機能する。
【００４１】
コンテンツ表示部５５は、ＨＴＭＬ解析結果記憶部５７に記憶されたＨＴＭＬ解析結果に基づき、Ｗｅｂページのコンテンツをメインディスプレイ２１に表示させる。
【００４２】
また、ブラウザアプリケーション５０には、アクセス規制情報設定部６０、ＵＩ制御部６１およびアクセス規制情報記憶部５８が設けられる。
【００４３】
アクセス規制情報設定部６０は、ユーザがＷｅｂページの取得を行う際に、アクセスが規制されるＵＲＩやドメインに関する情報であるアクセス規制情報の設定を行う。アクセス規制情報は、アクセスが禁止されたＵＲＩやドメインで構成される。なお、アクセス規制情報は、アクセスが許可されたＵＲＩやドメインで構成してもよい。
【００４４】
ＵＩ制御部６１は、メインディスプレイ２１に表示されるＵＩ（Ｕｓｅｒ  Ｉｎｔｅｒｆａｃｅ）を介してアクセス規制情報の設定の入力を受け付ける。また、アクセス規制情報設定部６０は、ネットワークを介して受信したデータをアクセス規制情報として設定することも可能である。
【００４５】
アクセス規制情報は、ＵＲＩおよびドメインを個別に設定可能に構成してもよいし、一括して設定可能に構成してもよい。例えば、ネットワークを通じて管理者側の端末装置（図示せず）よりアクセスが禁止されたＵＲＩおよびドメインのリストが取得された場合には、このリストに記載されたＵＲＩおよびドメインが一括して設定されるのが好適である。
【００４６】
また、アクセス規制情報記憶部５８に記憶されたアクセス規制情報は、アクセス規制情報設定部６０により適宜変更を行うことができる。ＵＩ制御部６１は、ＵＩを介してアクセス規制情報の変更の入力を受け付ける。
【００４７】
アクセス規制情報設定部６０により設定されたアクセス情報は、適宜アクセス規制情報記憶部５８に格納される。また、アクセス規制情報は、必要に応じてアクセス規制情報記憶部５８より読み出され、コンテンツ表示部５５によりメインディスプレイ２１に表示されたり、ＨＴＴＰ通信部５２を通じて管理者に送信できるようになっている。
【００４８】
また、アクセス規制情報設定部６０は、携帯電話機１の管理者以外のユーザにアクセス規制情報の設定およびアクセス規制情報の変更ができないように構成される。例えば、アクセス規制情報設定部６０がアクセス規制情報の設定または変更を行う際に、予め設定されたパスワードの入力を求め、正しいパスワードが入力された場合にのみアクセス規制情報の設定または変更を認めるように構成される。
【００４９】
次に、携帯電話機１に設定されたアクセス規制情報に基づいて実行されるコンテンツ表示処理について説明する。
【００５０】
Ｗｅｂページ上では、他のＷｅｂページにジャンプ可能なハイパーリンク（リンク）を生成したり、別ファイルとして保存されている画像データなどのコンテンツをＷｅｂページの一部として組み込んだりすることができるようになっている。本実施形態における携帯電話機１は、このように構成されたＷｅｂページに対し表示規制処理を行い、効果的にアクセス制限を行うことができる。
【００５１】
図５は、本実施形態における携帯電話機１により実行されるコンテンツ表示規制処理を説明するフローチャートである。このコンテンツ表示規制処理は、制御部４１の制御に基づき実現されるブラウザアプリケーション５０において実行される。
【００５２】
ステップＳ１において、ブラウザアプリケーション５０のブラウザ制御部５１は、ＵＲＩが指定されたか否かの判定を行う。ブラウザ制御部５１は、例えば操作キー１４を介してＵＲＩの入力を受け付ける。ブラウザ制御部５１は、ＵＲＩがいまだ指定されていないと判定した場合、ＵＲＩが指定されるまで処理は待機する。
【００５３】
一方、ブラウザ制御部５１は、ＵＲＩが指定されたと判定された場合、ステップＳ２において、指定されたＵＲＩはアクセスが許可されたＵＲＩか否かの判定を行う。ブラウザ制御部５１は、格納手段としてのアクセス規制情報記憶部５８に格納されたアクセス規制情報を参照し、判定を行う。例えば、アクセス規制情報としてアクセスが許可されたＵＲＩやドメインが設定されている場合、ブラウザ制御部５１は、指定されたＵＲＩがアクセスが許可されたＵＲＩやドメインと一致した場合に、アクセスが許可されたＵＲＩであると判定を行う。または、アクセス規制情報にアクセスが禁止されたＵＲＩやドメインが設定されている場合、ブラウザ制御部５１は、指定されたＵＲＩがアクセスが禁止されたＵＲＩまたはドメインに含まれていない場合に、アクセスが許可されたＵＲＩであると判定を行う。
【００５４】
以下、本実施形態においては、アクセス規制情報記憶部５８にはアクセスが禁止されたＵＲＩやドメインがアクセス規制情報として設定された場合を適用して説明する。
【００５５】
指定されたＵＲＩが、アクセスが許可されたＵＲＩやドメインではないと判定された場合、ブラウザ制御部５１は、Ｗｅｂページの取得を行わずコンテンツ表示処理を終了する。
【００５６】
一方、指定されたＵＲＩが、アクセスが許可されたＵＲＩやドメインであると判定された場合、ステップＳ３において、取得手段としてのＨＴＴＰ通信部５２は、Ｗｅｂサーバに対して指定されたＵＲＩのＨＴＭＬ文書を要求するためのコマンドを生成して送信する。また、ＨＴＴＰ通信部５２は、この要求に基づきＷｅｂサーバよりＨＴＭＬ文書を取得する。
【００５７】
ＨＴＴＰ通信部５２は、取得したＨＴＭＬ文書を受信／Ｃａｓｈデータ記憶部５６に格納する。
【００５８】
ステップＳ４において、判定手段としてのＨＴＭＬ解析部５４は、ＨＴＭＬ文書に規制対象となる内容を含むタグが記述されているか否かの判定を行う。この判定は、アクセス規制情報記憶部５８に記憶された、アクセスが禁止されたＵＲＩやドメインを参照して行われる。例えば、ＨＴＭＬ解析部５４は、ＨＴＭＬ文書にアクセスが禁止されたＵＲＩのリンクを生成するタグが含まれるか否かの判定を行う。また、ＨＴＭＬ解析部５４は、アクセスが禁止されたＵＲＩに対してデータの取得要求を行ったり、データの送信先に指定したりするタグが含まれるか否かの判定を行う。
【００５９】
具体的には、ＨＴＭＬ解析部５４は、ＨＴＭＬ文書の解析時において、ハイパーリンクを生成するタグであるアンカータグが含まれていた場合、このアンカータグにより生成されるリンクが予め設定されたアクセスを禁止するＵＲＩであるか否かの判定を行う。ＨＴＭＬ文書中におけるアンカータグは、例えば「＜Ａ  ＨＲＥＦ＝”ｈｔｔｐ：／ｗｗｗ．ＡＡＡ．ＢＢＢ．ｃｏ．ｊｐ”＞ＣＣＣ＜／Ａ＞」のように記述される。「＜Ａ ＨＲＥＦ＝”」に続いて記載されたＵＲＩである「ｈｔｔｐ：／ｗｗｗ．ＡＡＡ．ＢＢＢ．ｃｏ．ｊｐ」は、リンクが生成されるＵＲＩを示す記述である。また、「＞」と「＜／Ａ＞」との間に記載されたテキストは、指定されたＵＲＩに対するハイパーリンクの生成に割り当てられたテキスト（リンクテキスト）となる。このリンクテキストは、Ｗｅｂページ上においてハイパーリンクとしてアンカー表示される。ブラウザ制御部５１は、このリンクテキストが選択されることにより、所定のＵＲＩにアクセス処理を行う。
【００６０】
なお、本実施形態におけるアンカー表示とは、アンカータグ中に記載されたリンクテキストを選択可能に表示させることをいう。このとき、リンクテキストは通常のテキストとは識別可能なように表示され、例えば太字で表示されたり、異なる色で表示されたり、アンダーラインが表示されたりする。さらにアンカー表示されたリンクテキストは、携帯電話機１の十字キー１６などを用いて複数のリンクテキスト上を移動可能に構成されるカーソルによって選択された場合、反転表示されたり、リンク先の情報などが吹き出し表示されたり、カーソルの絵柄が変更されたりするように構成される。
【００６１】
ＨＴＭＬ解析部５４は、このリンクの生成が行われるＵＲＩが、アクセス規制情報記憶部５８に記憶されたアクセスが禁止されたＵＲＩまたはドメインと一致するか否かの判定を行う。
【００６２】
また、ＨＴＭＬ解析部５４は、ＨＴＭＬ文書の解析時において、所定の画像データを表示させるタグであるイメージタグが埋め込まれていた場合、このイメージタグにより表示される画像データの取得要求先が、アクセスを禁止するＵＲＩやドメインであるか否かの判定を行う。ＨＴＭＬ文書中におけるイメージタグは、例えば「＜ＩＭＧ  ＳＲＣ＝”ｈｔｔｐ：／ｗｗｗ．ＡＡＡ．ＢＢＢ．ｃｏ．ｊｐ／ＤＤＤ．ＦＦＦ．ｇｉｆ”＞」のように記述される。「＜ＩＭＧ  ＳＲＣ＝”」に続いて記載されたＵＲＩである「ｈｔｔｐ：／ｗｗｗ．ＡＡＡ．ＢＢＢ．ｃｏ．ｊｐ／ＤＤＤ．ＦＦＦ．ｇｉｆ」は、Ｗｅｂページ上で表示される画像データの取得要求先を示す記述である。
【００６３】
また、イメージタグは上述したアンカータグにおける「＞」と「＜／Ａ＞」の間に記述されることにより、ハイパーリンクの生成に割り当てられた画像データ（リンク画像）となる。このリンク画像は、Ｗｅｂページ上においてハイパーリンクとしてアンカー表示される。ブラウザ制御部５１は、このリンク画像が選択されることにより、所定のＵＲＩにアクセス処理を行う。
【００６４】
なお、アンカー表示されるリンク画像は、リンクテキストと同様に選択可能に表示される。また、リンク画像は、通常の画像データとは識別可能なように表示され、例えば太枠で囲まれて表示されたり、異なる色の枠で囲まれて表示されたりする。
【００６５】
ＨＴＭＬ解析部５４は、この画像データの取得要求先として記載されたＵＲＩが、アクセス規制情報記憶部５８に記憶されたアクセスが禁止されたＵＲＩまたはドメインと一致するか否かの判定を行う。
【００６６】
なお、ＨＴＭＬ解析部５４は、アンカータグおよびイメージタグに限らず、例えばフレームタグ、インラインフレームタグ、オブジェクトタブ、フォームタグ、スクリプトタグなど所定のＵＲＩを取得要求先とするコンテンツを表示させたり、所定のＵＲＩに対しデータの送信を行わせたりするようなタグの記載についても同様に判定を行う。
【００６７】
ＨＴＭＬ文書に表示規制の対象となるタグの記述が含まれていないと判定された場合、ステップＳ５において、解析手段としてのＨＴＭＬ解析部５４は、取得したＨＴＭＬ文書の記述通りに解析を行い、得られた解析結果をＨＴＭＬ解析結果記憶部５７に格納する。
【００６８】
一方、ＨＴＭＬ文書に表示規制の対象となるタグが含まれていると判定された場合、ステップＳ６において、表示規制手段としてのＨＴＭＬ解析部５４は、ＨＴＭＬ文書に対し所定の表示規制処理を行う。また、ＨＴＭＬ解析部５４は、所定の表示規制処理を行い得られた解析結果をＨＴＭＬ解析結果記憶部５７に格納する。
【００６９】
具体的には、ＨＴＭＬ解析部５４は、アクセスが禁止されたＵＲＩに対するハイパーリンクを生成させるアンカータグが含まれていた場合、Ｗｅｂページ上で表示されるリンクテキストおよびリンク画像をアンカー表示さないようにＨＴＭＬ文書を変更して、ハイパーリンクの生成を無効とする表示規制処理を行い、解析結果を出力する。すなわち、ＨＴＭＬ解析部５４は、リンクテキストおよびリンク画像を通常のテキストおよび画像データと同様に表示させる表示規制処理を行う。
【００７０】
また、ＨＴＭＬ解析部５４は、アクセスが禁止されたＵＲＩを取得要求先とする画像データを表示させるイメージタグが含まれていた場合には、その画像データを表示させる記述を無効とする表示規制処理を行い、解析結果を出力する。ＨＴＭＬ解析部５４により行われる表示規制処理は、例えば所定の取得要求先から取得されて表示されるはずであった画像データを取得せずにブランク表示させたり、予め携帯電話機１に記憶された代替の画像データやテキストを表示させたり、画像データを表示させるタグの記述そのものを無視（削除）したりすることにより行われる。
【００７１】
なお、ＨＴＭＬ解析部５４は、アンカータグ、イメージタグの他にも、所定のＵＲＩとデータの送受信を行うタグについても、アクセスが禁止されたＵＲＩやドメインと一致するＵＲＩがデータの取得要求先または送信先として設定する記述が含まれていた場合には、ＨＴＭＬ文書を変更するなどしてその記述を無効にすることで表示規制処理を行う。
【００７２】
具体的には、ＨＴＭＬ解析部５４は、アクセスが禁止されたＵＲＩより取得したコンテンツをＷｅｂページ上に表示させるタグ（オブジェクトタグ、フレームタグ、インラインフレームタグ、スクリプトタグなど）の記述を無効としたＨＴＭＬ文書に変更することで表示規制処理を行う。また、ＨＴＭＬ解析部５４は、表示されているＷｅｂページからアクセスが禁止されたＷｅｂページに自動的に切り替える（ＨＴＴＰリダイレクト）タグの記述が含まれていた場合、このタグの記述を無効としアクセスを行わないＨＴＭＬ文書に変更することで表示規制処理を行う。さらに、ＨＴＭＬ解析部５４は、データの入力フォームを生成し、これをアクセスが禁止されたＵＲＩに送信させるタグ（フォームタグ、スクリプトタグなど）の記述が含まれていた場合、入力フォームの生成などを行わず、かつデータの送信を無効とするＨＴＭＬ文書に変更することで表示規制処理を行う。
【００７３】
ステップＳ７において、コンテンツ表示部５５は、ＨＴＭＬ解析結果記憶部５７に格納された解析結果に基づいて、指定判定ステップＳ１において指定されたＵＲＩのＷｅｂページをメインディスプレイ２１に表示させる。
【００７４】
図６は、解析ステップＳ５において、ＨＴＭＬ文書の記述どおりに解析が行われた解析結果に基づき表示されたＷｅｂページの一例を示す図である。
【００７５】
このＷｅｂページには、リンクが生成されており、リンク画像やリンクテキストを含む種々のコンテンツが表示されている。コンテンツＡ、コンテンツＢ、コンテンツＣおよびコンテンツＤはリンク画像として表示されている。また、コンテンツＥおよびコンテンツＦは、リンクテキストとして表示されている。これらのリンク画像およびリンクテキストは、それぞれアンカー表示されており、通常のテキストや画像データとは識別可能に、かつ選択可能に表示される。リンク画像は、画像データの表示領域の外枠が通常の画像データよりも太い枠で表示されることによりアンカー表示される。リンクテキストは、例えば通常のテキストとは異なる色で表示され、かつアンダーラインが表示されることによりアンカー表示される。
【００７６】
これらのリンク画像およびリンクテキストは、携帯電話機１の十字キー１６を操作することにより移動可能なカーソルで選択することができる。また、確定キー１７が押下され確定キー機能表示部２１ａに表示された決定処理が行われることにより、ブラウザ制御部５１は所定のＵＲＩにアクセス処理を行う。
【００７７】
なお、左ソフトキー機能表示部２１ｂに表示された「戻る」は、現在表示されているＷｅｂページより一つ前に表示されたＷｅｂページを表示する機能であり、左ソフトキー１８が押下されることにより実行される。また、右ソフトキー機能表示部２１ｃに表示された「メニュー」は、現在表示されているＷｅｂページに対して実行可能な各種機能の項目を表示する機能であり、右ソフトキー１９が押下されることにより実行される。
【００７８】
図７は、規制解析ステップＳ６において、ＨＴＭＬ文書に対し表示規制処理が行われた解析結果に基づき表示されたＷｅｂページの一例を示す図である。
【００７９】
図７に示すＷｅｂページは、図６に示すＷｅｂページに対してコンテンツＡ、コンテンツＤ、コンテンツＥがアンカー表示されておらず、かつコンテンツＡおよびコンテンツＤの画像データが表示されていない点で相違している。なお、コンテンツＡおよびコンテンツＤは、説明の便宜上、表示領域の外枠が鎖線で表示されているが、実際にはブランク表示されている。
【００８０】
コンテンツＡおよびコンテンツＤは、アクセスが禁止されたＵＲＩに対するリンクであり、かつアクセスが禁止されたＵＲＩを取得要求先とする画像データであったため、ＨＴＭＬ解析部５４によりＨＴＭＬ文書の記述が変更された。すなわち、ＨＴＭＬ解析部５４はコンテンツＡおよびコンテンツＤをアンカー表示させるアンカータグを無視したＨＴＭＬ文書に変更する表示規制処理を行った。また、ＨＴＭＬ解析部５４はイメージタグによりコンテンツＡおよびコンテンツＤが表示される箇所をブランクとして表示させるＨＴＭＬ文書に変更する表示規制処理を行った。
【００８１】
また、コンテンツＥについては、アクセスが禁止されたＵＲＩに対するリンクを生成する記述に基づき表示されるコンテンツであったため、ＨＴＭＬ解析部５４によりＨＴＭＬ文書の記述が変更された。すなわち、ＨＴＭＬ解析部５４は、リンクテキストである「土地活用」、「在宅で高収入」、「サプリメント大特価」のテキストを、通常のテキストと同様に表示させるＨＴＭＬ文書に変更する表示規制処理を行った。
【００８２】
この結果、図７のＷｅｂページにおいては、アクセスが許可されたＵＲＩがリンク先として設定されたリンクテキストおよびリンク画像のみが、選択可能にアンカー表示される。一方、アクセスが禁止されたＵＲＩがリンク先として設定されたリンクテキストおよびリンク画像はアンカー表示されず、予め選択できないように表示される。
【００８３】
また、図８は、規制解析ステップＳ６において、ＨＴＭＬ文書に対し他の表示規制処理が行われた解析結果に基づき表示されたＷｅｂページの例を示す図である。
【００８４】
図８のＷｅｂページに表示されたコンテンツＡおよびコンテンツＤは、アクセスが禁止されたＵＲＩに対するリンクであったため、ＨＴＭＬ解析部５４はコンテンツＡおよびコンテンツＤをアンカー表示させるアンカータグを無視したＨＴＭＬ文書に変更する表示規制処理を行った。この結果、アクセスが禁止されたＵＲＩがリンク先として設定されたコンテンツＡおよびコンテンツＤはアンカー表示されず、選択できないように表示される。
【００８５】
さらに、図９は、規制解析ステップＳ６において、ＨＴＭＬ文書に対し表示規制処理が行われた解析結果に基づき表示されたＷｅｂページのさらに他の例を示す図である。
【００８６】
図９のＷｅｂページに表示されたコンテンツＡおよびコンテンツＤは、アクセスが禁止されたＵＲＩを取得要求先とする画像データであったため、ＨＴＭＬ解析部５４により所定の代替画像データを表示させる表示規制処理が行われた。この結果、Ｗｅｂページには予め携帯電話機１に記憶された所定の画像データが表示された。ＨＴＭＬ解析部５４により、代替テキストを表示させる表示規制処理が行われた場合には、図９の代替画像データに代えて、「イメージを表示できません」などの代替テキストが表示される。また、コンテンツＡおよびコンテンツＤはアクセスが禁止されたＵＲＩに対するリンクであったため、ＨＴＭＬ解析部５４はコンテンツＡおよびコンテンツＤをアンカー表示させるアンカータグを無視したＨＴＭＬ文書に変更する表示規制処理を行った。
【００８７】
以上でコンテンツ表示規制処理は終了する。
【００８８】
この携帯電話機１によれば、表示されるＷｅｂページに対して、アクセスが禁止されたＵＲＩまたはドメインに対するハイパーリンクの生成を行わせない表示規制処理を実現することで、効果的にアクセス規制を行うことができる。すなわち、被管理者としてのユーザがアクセスが禁止されたＵＲＩにアクセスしようと思っても、その手段としてリンクを予め表示させないことで効果的にアクセス規制を行うことができる。
【００８９】
また、アクセスが禁止されたＵＲＩにアクセスした場合に、Ｗｅｂページを表示することができない旨のエラー画面へ移行してしまう場合に比べて、予めアクセスを行えないようにすることでユーザに対する操作性を損なうことなくアクセス規制することができる点でも有効である。
【００９０】
さらに、アクセスが禁止されたＵＲＩに対するリンクテキストについては通常のテキストデータと同様の表示形態で表示したり、リンク画像については通常の画像データと同様の表示形態で表示したり、ブランク表示をおこなったり、代替画像データまたは代替テキストを表示させたりするため、ユーザはアクセス規制が行われていることを意識することなく、違和感なくＷｅｂページの閲覧を行うことができる。
【００９１】
さらにまた、このような表示規制処理を行うことで、ユーザの意図しない操作により有害なサイトにアクセスすることや、ユーザのデータを自動的に送信することも抑制できるため、アクセス規制のみならず、ワンクリック詐欺やフィッシング詐欺などの悪質な犯罪に対する被害も回避することができる。
【００９２】
なお、規制解析ステップＳ６において、ＨＴＭＬ解析部５４によりＨＴＭＬ文書にアクセスが禁止されたＵＲＩを取得要求先とする画像データなどのコンテンツが含まれていた場合、これを取得しないものとしたが、画像データなどのコンテンツの取得を含むＨＴＭＬ文書の記述に従った解析結果の取得後、コンテンツ表示部５５による表示処理時に該当部分のテキストや画像データを表示させない表示規制処理を行ってもよい。なお、テキストや画像データがリンクテキストおよびリンク画像であった場合には、カーソルを用いたＷｅｂページ上での選択操作時、ブラウザ制御部５１により表示規制処理が行われた規制箇所は選択できないように制御処理が行われる。
【００９３】
次に、表示規制処理が行われたＷｅｂページに対して行われる表示規制解除処理について説明する。
【００９４】
図１０は、本実施形態における携帯電話機１により実行される表示規制解除処理を説明するフローチャートである。この規制解除処理は、制御部４１の制御に基づき実現されるブラウザアプリケーション５０において実行される。
【００９５】
この表示規制解除処理は、図５のコンテンツ表示処理が行われた後に実行される。
【００９６】
ステップＳ１１において、表示規制解除手段としてのブラウザ制御部５１は、表示規制の解除を受け付けたか否かの判定を行う。
【００９７】
図１１は、Ｗｅｂページに表示されたサブメニュー画面の表示例を示す図である。
【００９８】
ブラウザ制御部５１は、右ソフトキー１９が押下されることにより、図７に示す右ソフトキー機能表示部２１ｃに表示された「メニュー」が選択された場合、Ｗｅｂページに対して実行可能な各種機能の項目が列挙されたサブメニュー画面を表示する。サブメニュー画面に表示された各種機能の項目は、携帯電話機１の十字キー１６を操作することによりカーソルで選択することができる。また、確定キー１７が押下され確定キー機能表示部２１ａに表示された決定処理が行われることにより、ブラウザ制御部５１は選択された処理を行う。
【００９９】
ブラウザ制御部５１は、このサブメニュー画面に表示された「規制解除」を実行する処理をいまだ受け付けていないと判定した場合、受け付けるまで処理は待機する。
【０１００】
ブラウザ制御部５１は、このメニュー画面に表示された「規制解除」が選択され、決定されることにより、表示規制の解除を受け付けたと判定した場合、ステップＳ１２において、表示規制を解除して、Ｗｅｂページのコンテンツをメインディスプレイ２１に表示させる。
【０１０１】
図１２は、Ｗｅｂページに対して実行された表示規制処理を解除した場合のＷｅｂページの表示例を示す図である。
【０１０２】
図７に示す、表示規制が行われたＷｅｂページにおいては、規制箇所に該当するコンテンツＡ、コンテンツＤ、コンテンツＥのリンクテキストおよびリンク画像がアンカー表示されていなかった。また、アクセスが禁止されたＵＲＩを取得要求先とする画像データについても表示が行われていなかった。これに対し、図１２に示す表示規制解除後のＷｅｂページでは、ブラウザ制御部５１は、アンカー表示されていなかったテキストや画像データを選択可能に表示させる。また、ブラウザ制御部５１は、ブランクとして表示されていた画像データについても表示させる。なお、表示規制が解除され、選択可能に表示されたテキストおよび画像データを、解除リンクテキストおよび解除リンク画像という。
【０１０３】
このとき、表示規制が解除された解除リンクテキストおよび解除リンク画像と、表示規制の対象となっていないリンクテキストおよびリンク画像とを識別可能なように表示することが好ましい。例えば、解除リンクテキストとリンクテキストとの色や字体に差異を設けたり、解除リンクテキストおよび解除リンク画像に表示規制が解除された箇所である旨を通知する吹き出しを設けたりして表示する。
【０１０４】
図１２においては、ブラウザ制御部５１は、一例として解除リンクテキストについては斜体で表示させることにより、リンクテキストと識別可能に表示されている。また、解除リンク画像については、画像データの表示領域の外枠を囲む線の太さをリンク画像よりも細く表示することにより、解除リンク画像とリンク画像とを識別可能に表示している。
【０１０５】
Ｗｅｂページにおけるコンテンツの表示規制を解除する場合、ＨＴＴＰ通信部５２はＷｅｂサーバよりＨＴＭＬ文書やＷｅｂページに組み込まれる画像データなどのコンテンツを取得する。また、ＨＴＭＬ解析部５４は解除リンクテキストおよび解除リンク画像と、リンクテキストおよびリンク画像とが識別可能に表示されるようにＨＴＭＬ文書を変更して解析結果を出力する。さらに、コンテンツ表示部５５はメインディスプレイ２１にＷｅｂページを表示させる。
【０１０６】
ステップＳ１３において、ブラウザ制御部５１は、Ｗｅｂページに選択可能に表示されたテキストまたは画像データの選択を受け付けたか否かの判定を行う。選択は、選択手段としての携帯電話機１の十字キー１６を操作することにより移動可能なカーソルで選択することができる。また、確定キー１７が押下され確定キー機能表示部２１ａに表示された決定処理が行われることにより、選択操作が決定される。なお、選択可能に表示されたテキストまたは画像データとは、解除リンクテキストおよびリンクテキスト、または解除リンク画像およびリンク画像をいう。
【０１０７】
ブラウザ制御部５１は、テキストまたは画像データが選択されるまで処理を待機する。
【０１０８】
テキストまたは画像データが選択された場合、ステップＳ１４において、ブラウザ制御部５１は、選択されたテキストまたは画像データが、解除リンクテキストまたは解除リンク画像であるか否かの判定を行う。選択されたテキストまたは画像データが、アクセスが許可されたリンクテキストまたはリンク画像であった場合には、ブラウザ制御部５１は所定のＵＲＩにアクセスする処理を実行し、表示規制解除処理を終了する。
【０１０９】
一方、選択されたテキストまたは画像データが解除リンクテキストまたは解除リンク画像であった場合には、ステップＳ１５において、ブラウザ制御部５１は、メインディスプレイ２１に規制解除メニューを表示させる。
【０１１０】
図１３は、表示の規制が解除されたＷｅｂページに表示される規制解除メニュー画面の表示例を示す図である。
【０１１１】
規制解除メニュー画面には、例えば、アクセスが禁止されたＵＲＩに対するアクセス制限を「解除する」処理を実行させるための項目と、アクセスが禁止されたＵＲＩに対するアクセス制限の「解除申請する」処理を実行させるための項目が表示される。
【０１１２】
ステップＳ１６において、ブラウザ制御部５１は、アクセス規制の解除または解除申請を行う指示を受け付けたか否かの判定を行う。解除または解除申請を行う指示は、例えば、携帯電話機１の十字キー１６および確定キー１７より規制解除メニュー画面より「解除する」または「解除申請する」が選択されることにより受け付ける。ブラウザ制御部５１は、指示を受け付けるまで処理を待機する。
【０１１３】
一方、ブラウザ制御部５１は、「解除する」または「解除申請する」のいずれかの一方の指示を受け付けた場合、ステップＳ１７において、表示規制の解除または解除申請処理を実行する。
【０１１４】
例えば、ブラウザ制御部５１が「解除する」指示を受け付けた場合、パスワードの入力を受け付けるＵＩ画面をメインディスプレイ２１に表示させる。パスワード判定手段としてのブラウザ制御部５１は、予め管理者により設定され、携帯電話機１に記憶された正しいパスワードの入力を入力手段としての数字キー１５などを介して受け付けた場合、選択された解除リンクテキストまたは解除リンク画像に設定されたリンク先に対するアクセス制限を解除する。
【０１１５】
また、申請手段としてのブラウザ制御部５１が「解除申請する」指示を受け付けた場合、管理者に対し規制解除の許可を求めるための通知を携帯電話機１から管理者としての端末装置（図示せず）に対し送信するＵＩ画面をメインディスプレイ２１に表示させる。携帯電話機１は管理者としての端末装置からアクセス制限を解除する旨の通知を受け取った場合、ブラウザ制御部５１は、選択された解除リンクテキストまたは解除リンク画像に設定されたリンク先に対するアクセス制限を解除する。なお、解除申請を行うための通知は、例えば携帯電話機１に設けられた送受信手段としての電子メールブラウザ（図示せず）を用いて行うのが好適である。
【０１１６】
なお、上述したアクセス規制の解除または解除申請の方法は一例であって、これに限らない。
【０１１７】
ステップＳ１８において、ブラウザ制御部５１は、解除・解除申請処理ステップＳ１７において実行された解除・解除申請処理により、アクセス規制の解除が許可されたか否かの判定を行う。ブラウザ制御部５１は、アクセス規制の解除が許可されていないと判定した場合、リンク先に設定されたＵＲＩに対するアクセス処理は行わず、表示規制解除処理を終了する。このとき、ブラウザ制御部５１は、Ｗｅｂページの表示が許可されなかった旨の通知をユーザに対して行う。
【０１１８】
一方、アクセス許可手段としてのブラウザ制御部５１は、アクセス規制の解除が許可されたと判定した場合、ステップＳ１９において、選択された解除リンクテキストまたは解除リンク画像に設定されたＵＲＩに対するアクセス処理を行いコンテンツを取得し、Ｗｅｂページの表示処理を行う。以上で表示規制解除処理を終了する。
【０１１９】
この携帯電話機１によれば、被管理者としてのユーザが表示の規制解除を行う手段を設けることにより、アクセス規制を行いつつ、アクセス規制が課されたユーザに対するＷｅｂページの閲覧に対する操作性を向上させることができる。
【０１２０】
なお、ブラウザアプリケーション５０が、コンテンツ表示処理において表示されたＷｅｂページのＨＴＭＬ文書およびＷｅｂページに組み込まれた画像データなどを受信／Ｃａｓｈデータ記憶部５６に保存されるように構成された場合には、ブラウザ制御部５１は、受信／Ｃａｓｈデータ記憶部５６に保存されたＨＴＭＬ文書を読み出し、これに基づき表示規制を解除したＷｅｂページをメインディスプレイ２１に表示させてもよい。
【０１２１】
なお、本実施形態においてはＨＴＭＬ言語で記述された文書を解析することにより表示規制処理を行ったが、これに限らずＸＭＬなどの他のマークアップ言語で記述された文書を解析し、表示規制処理を行ってもよい。
【０１２２】
本発明に係る電子機器は、携帯電話機１以外にも、ＰＤＡ（Ｐｅｒｓｏｎａｌ  Ｄｉｓｉｔａｌ  Ａｓｓｉｓｔａｎｔ）、パーソナルコンピュータ、携帯型ゲーム機、携帯型音楽再生機、携帯型動画再生機、その他のＷｅｂページなどの閲覧が可能なブラウザアプリケーションを備えた電子機器にも適用することができる。
【０１２３】
また、本発明の実施形態において説明した一連の処理は、ソフトウェアにより実行させることもできるが、ハードウェアにより実行させることもできる。
【図面の簡単な説明】
【０１２４】
【図１】本発明に係る電子機器の一例である折りたたみ式の携帯電話機の外観の構成を示す図。
【図２】本発明に係る携帯電話機の一例である折りたたみ式携帯電話機の他の外観の構成を示す図。
【図３】本実施形態における携帯電話機の内部の構成を示す図。
【図４】本実施形態における携帯電話機の制御部により実行されるブラウザアプリケーションの機能的な構成を概略的に示した機能ブロック図。
【図５】本実施形態における携帯電話機により実行されるコンテンツ表示規制処理を説明するフローチャート。
【図６】ＨＴＭＬ文書の記述どおりに解析が行われた解析結果に基づき表示されたＷｅｂページの一例を示す図。
【図７】ＨＴＭＬ文書に対し表示規制処理が行われた解析結果に基づき表示されたＷｅｂページの一例を示す図。
【図８】ＨＴＭＬ文書に対し表示規制処理が行われた解析結果に基づき表示されたＷｅｂページの他の例を示す図。
【図９】ＨＴＭＬ文書に対し表示規制処理が行われた解析結果に基づき表示されたＷｅｂページのさらに他の例を示す図。
【図１０】本実施形態における携帯電話機により実行される表示規制解除処理を説明するフローチャート。
【図１１】Ｗｅｂページに表示されたサブメニュー画面の表示例を示す図。
【図１２】Ｗｅｂページに対して実行された表示規制処理を解除した場合のＷｅｂページの表示例を示す図。
【図１３】表示規制が解除されたＷｅｂページに表示される規制解除メニュー画面の表示例を示す図。
【符号の説明】
【０１２５】
１  携帯電話機
１１  ヒンジ部
１２  第一の筐体
１３  第二の筐体
１４  操作キー
１５  数字キー
１６  十字キー
１７  確定キー
１８  左ソフトキー
１９  右ソフトキー
２０  サイドキー
２１  メインディスプレイ
２１ａ  確定キー機能表示部
２１ｂ  左ソフトキー機能表示部
２１ｃ  右ソフトキー機能表示部
２２  マイクロフォン
２３  レシーバ
２４  サブディスプレイ
４１  制御部
５０  ブラウザアプリケーション
５１  ブラウザ制御部
５２  ＨＴＴＰ通信部
５３  ＰＣＴ／ＩＰ通信部
５４  ＨＴＭＬ解析部
５５  コンテンツ表示部
５７  解析結果記憶部
５８  アクセス規制情報記憶部
６０  アクセス規制情報設定部
６１  ＵＩ制御部
【図１】
2010033483.tif 000003
【図２】
2010033483.tif 000004
【図３】
2010033483.tif 000005
【図４】
2010033483.tif 000006
【図５】
2010033483.tif 000007
【図６】
2010033483.tif 000008
【図７】
2010033483.tif 000009
【図８】
2010033483.tif 000010
【図９】
2010033483.tif 000011
【図１０】
2010033483.tif 000012
【図１１】
2010033483.tif 000013
【図１２】
2010033483.tif 000014
【図１３】
2010033483.tif 000015